(57)【特許請求の範囲】
【請求項１】
底面に吸込口が形成されたボディと、
前記ボディに接続され、第１風路が内部に形成されたジョイントと、
前記吸込口の長手方向に沿って配置されたアジテーターと、
前記ボディの内部に収容され、前記アジテーターを回転させる駆動手段と、
を備え、
前記ボディの内部には、前記吸込口を介して前記ボディの外部と連通する第２風路が形成され、
前記アジテーターは、前記第２風路の内部に配置され、
前記ジョイントには、前記第１風路と前記第２風路とを連通させる通気口が形成され、  前記底面が水平面に対向している状態で、前記通気口は、前記吸込口に対して、上下方向及び前記長手方向に垂直な方向の一側にあり、
前記駆動手段は、前記アジテーターよりも前記一側にあり、
前記ボディは、前記底面が水平面に対向している状態で上下方向の何れか一方に向けて前記第２風路に突出する仕切部及び前記駆動手段が収容される空間と前記第２風路とを隔てる隔壁を有し、
前記仕切部及び前記隔壁は、前記長手方向に沿って形成され、
前記仕切部には、前記ボディの前記長手方向の端部に隣接する遠位部、前記遠位部に比べて前記通気口に近い近位部、及び前記遠位部と前記近位部とを繋ぐ中間部が含まれ、
前記近位部は、前記遠位部及び前記中間部よりも前記一方に突出し、
前記中間部は、前記遠位部よりも前記一方に突出し、
前記仕切部は前記アジテーターと前記隔壁との間にある吸込具。
【請求項２】
前記仕切部は、前記アジテーターが収容される空間の輪郭の一部を形成している請求項１に記載の吸込具。
【請求項３】
前記アジテーターの外形は円筒状であり、
前記仕切部は、前記アジテーターの外形に沿って前記アジテーターに対向する面を有する請求項２に記載の吸込具。
【請求項４】
前記仕切部の形状は、一定の断面形状が前記長手方向に連続した形状である請求項３に記載の吸込具。
【請求項５】
前記底面には、前記底面が水平面に対向している状態で前記ボディの側方の外部空間と前記第２風路とを繋ぐ溝状風路が形成され、
前記アジテーターの回転軸は、前記底面が水平面に対向している状態で前記第２風路よりも前記一側にある請求項１から請求項４の何れか１項に記載の吸込具。
【請求項６】
前記底面に垂直な視点において、前記溝状風路は、前記長手方向に垂直な方向と前記長手方向とに対して傾斜している請求項５に記載の吸込具。
【請求項７】
前記底面には、前記底面が水平面に対向している状態で前記ボディの側方の外部空間と前記第２風路とを繋ぐ溝状風路が形成され、
前記溝状風路は、前記アジテーターの回転軸よりも前記一側にある請求項１から請求項４の何れか１項に記載の吸込具。
【請求項８】
前記溝状風路は、前記仕切部よりも前記一側にある請求項７に記載の吸込具。
【請求項９】
前記第２風路には、前記仕切部と前記隔壁とによって輪郭の一部が形成される第３風路が含まれ、
前記第３風路の前記長手方向に垂直な断面は、前記通気口に近づくにつれて大きくなる請求項１から請求項８の何れか１項に記載の吸込具。
【請求項１０】
前記第２風路には、前記仕切部と前記隔壁とによって輪郭の一部が形成される第３風路が含まれ、
前記ボディは、前記底面が水平面に対向している状態で、前記第３風路の輪郭の上部を形成する上部を有し、
前記上部は、前記底面が水平面に対向している状態で、前記通気口に向かって上方に傾斜する請求項１から請求項８の何れか１項に記載の吸込具。
【請求項１１】
前記底面が水平面に対向している状態での平面視において、前記仕切部と前記隔壁との間の前記長手方向に垂直な方向の距離は、前記通気口に近づくほど長くなる請求項１から請求項１０の何れか１項に記載の吸込具。
【請求項１２】
前記一方は下方である請求項１から請求項１１の何れか１項に記載の吸込具。
【請求項１３】
前記ボディは、前記底面が水平面に対向している状態で前記吸込口から前記通気口に向けて上方に傾斜したスロープ部を有し、
前記底面が水平面に対向している状態で前記仕切部の下端は、下方からの視点において前記スロープ部に重なっている請求項１２に記載の吸込具。
【請求項１４】
底面に吸込口が形成されたボディと、
前記ボディに接続され、第１風路が内部に形成されたジョイントと、
を備え、
前記ボディの内部には、前記吸込口を介して前記ボディの外部と連通する第２風路が形成され、
前記ジョイントには、前記第１風路と前記第２風路とを連通させる通気口が形成され、
前記ボディは、前記底面が水平面に対向している状態で下方に向けて前記第２風路に突出する仕切部及び前記底面が水平面に対向している状態で前記吸込口から前記通気口に向けて上方に傾斜したスロープ部を有し、
前記仕切部は、前記吸込口の長手方向に沿って形成され、
前記仕切部には、前記ボディの前記長手方向の端部に隣接する遠位部、前記遠位部に比べて前記通気口に近い近位部、及び前記遠位部と前記近位部とを繋ぐ中間部が含まれ、
前記近位部は、前記遠位部及び前記中間部よりも下方に突出し、
前記中間部は、前記遠位部よりも下方に突出し、
前記底面が水平面に対向している状態で前記仕切部の下端は、下方からの視点において前記スロープ部に重なっている吸込具。
【請求項１５】
前記仕切部は、前記底面が水平面に対向している状態で上下に移動可能である請求項１から請求項１４の何れか１項に記載の吸込具。
【請求項１６】
底面に吸込口が形成されたボディと、
前記ボディに接続され、第１風路が内部に形成されたジョイントと、
を備え、
前記ボディの内部には、前記吸込口を介して前記ボディの外部と連通する第２風路が形成され、
前記ジョイントには、前記第１風路と前記第２風路とを連通させる通気口が形成され、
前記ボディは、前記底面が水平面に対向している状態で上下方向の何れか一方に向けて前記第２風路に突出する仕切部を有し、
前記仕切部は、前記吸込口の長手方向に沿って形成され、前記底面が水平面に対向している状態で上下に移動可能であり、
前記仕切部には、前記ボディの前記長手方向の端部に隣接する遠位部、前記遠位部に比べて前記通気口に近い近位部、及び前記遠位部と前記近位部とを繋ぐ中間部が含まれ、
前記近位部は、前記遠位部及び前記中間部よりも前記一方に突出し、
前記中間部は、前記遠位部よりも前記一方に突出する吸込具。
【請求項１７】
前記ジョイントは、前記長手方向と垂直な面内で回動可能であり、
前記仕切部は、前記ジョイントが回動すると移動する請求項１５または請求項１６に記載の吸込具。
【請求項１８】
前記ジョイントに接続され、内部に風路が形成された吸引パイプを備え、
前記ジョイントは、前記ボディと前記吸引パイプとを連結させ、
前記仕切部は、前記底面が水平面に対向している状態で、前記長手方向に平行な視点における前記吸引パイプの長手軸と前記底面とのなす優角が大きくなるほど上に移動する請求項１７に記載の吸込具。
【請求項１９】
前記仕切部は、前記底面が水平面に対向している状態で、上下方向及び前記長手方向に垂直な視点において前記通気口の少なくとも一部と重なっている請求項１から請求項１８の何れか１項に記載の吸込具。
【請求項２０】
請求項１から請求項１９の何れか１項に記載の吸込具と、
前記吸込具の内部に気流を発生させる電動送風機と、
を備える電気掃除機。
【発明の詳細な説明】
【技術分野】
【０００１】
本発明は、吸込具および電気掃除機に関する。
【背景技術】
【０００２】
特許文献１には、電気掃除機用の吸口体が記載されている。特許文献１に記載された吸口体の底部には、左右方向に長い底部開口が形成される。特許文献１に記載された吸口体は、この底部開口から塵埃を吸い込む。
【先行技術文献】
【特許文献】
【０００３】
【特許文献１】日本特許第３１８７３４６号公報
【発明の概要】
【発明が解決しようとする課題】
【０００４】
上記の特許文献１の吸口体が使用される際、底部開口の左右方向両端での風速は、底部開口の中央での風速よりも小さくなる。底部開口の左右方向両端での風速が小さくなることによって、底部開口の左右方向両端の近傍の塵埃は十分に吸い込まれない。上記の特許文献１に記載された吸込口体では、この吸込口体の左右方向端部の近傍に存在する塵埃を十分に吸引することができない。【０００５】
本発明は、上記のような課題を解決するためになされたものである。本発明の目的は、広範囲に渡って存在する塵埃をムラなく吸い込むことができ、塵埃を吸引する性能がより良好である吸込具を提供することである。また本発明の目的は、上記の吸込具を備えた電気掃除機を提供することである。
【課題を解決するための手段】
【０００６】
本発明に係る吸込具は、底面に吸込口が形成されたボディと、第１風路が内部に形成されたジョイントと、吸込口の長手方向に沿って配置されたアジテーターと、アジテーターを回転させる駆動手段と、を備える。ジョイントは、ボディに接続される。駆動手段は、ボディの内部に収容される。ボディの内部には、吸込口を介してボディの外部と連通する第２風路が形成される。アジテーターは、第２風路の内部に配置される。ジョイントには、第１風路と第２風路とを連通させる通気口が形成される。この通気口は、ボディの底面が水平面に対向している状態で、吸込口に対して、上下方向及び前記長手方向に垂直な方向の一側にある。駆動手段は、アジテーターよりも上記の一側にある。ボディは、底面が水平面に対向している状態で上下方向の何れか一方に向けて第２風路に突出する仕切部を有する。また、ボディは、駆動手段が収容される空間と第２風路とを隔てる隔壁を有する。仕切部及び隔壁は、吸込口の長手方向に沿って形成される。仕切部には、ボディの長手方向の端部に隣接する遠位部、遠位部に比べて通気口に近い近位部、及び遠位部と近位部とを繋ぐ中間部が含まれる。近位部は、遠位部及び中間部よりも上記の一方に突出する。中間部は、遠位部よりも上記の一方に突出する。また、仕切部は、アジテーターと隔壁との間にある。
また、本発明に係る吸込具は、底面に吸込口が形成されたボディと、第１風路が内部に形成されたジョイントと、を備える。ジョイントは、ボディに接続される。ボディの内部には、吸込口を介してボディの外部と連通する第２風路が形成される。ジョイントには、第１風路と第２風路とを連通させる通気口が形成される。ボディは、底面が水平面に対向している状態で下方に向けて第２風路に突出する仕切部を有する。また、ボディは、底面が水平面に対向している状態で吸込口から上記の通気口に向けて上方に傾斜したスロープ部を有する。仕切部は、吸込口の長手方向に沿って形成される。仕切部には、ボディの長手方向の端部に隣接する遠位部、遠位部に比べて通気口に近い近位部、及び遠位部と近位部とを繋ぐ中間部が含まれる。近位部は、遠位部及び中間部よりも下方に突出する。中間部は、遠位部よりも下方に突出する。ボディの底面が水平面に対向している状態で仕切部の下端は、下方からの視点においてスロープ部に重なっている。
また、本発明に係る吸込具は、底面に吸込口が形成されたボディと、第１風路が内部に形成されたジョイントと、を備える。ジョイントは、ボディに接続される。ボディの内部には、吸込口を介してボディの外部と連通する第２風路が形成される。ジョイントには、第１風路と第２風路とを連通させる通気口が形成される。ボディは、底面が水平面に対向している状態で上下方向の何れか一方に向けて第２風路に突出する仕切部を有する。仕切部は、吸込口の長手方向に沿って形成され、ボディの底面が水平面に対向している状態で上下に移動可能である。仕切部には、ボディの長手方向の端部に隣接する遠位部、遠位部に比べて通気口に近い近位部、及び遠位部と近位部とを繋ぐ中間部が含まれる。近位部は、遠位部及び中間部よりも上記の一方に突出する。中間部は、遠位部よりも上記の一方に突出する。
【０００７】
本発明に係る電気掃除機は、上記の吸込具及びこの吸込具の内部に気流を発生させる電動送風機を備えるものである。
【発明の効果】
【０００８】
本発明に係る吸込具は、上記の近位部と遠位部と中間部とを含む仕切部を有している。近位部は、遠位部及び中間部よりも突出する。中間部は、遠位部よりも突出する。これにより、広範囲に渡って存在する塵埃をムラなく吸い込むことができ、塵埃を吸引する性能がより良好である吸込具が提供される。また、この吸込具を備えた電気掃除機が提供される。
【図面の簡単な説明】
【０００９】
【図１】実施の形態１の吸込具を備える電気掃除機の斜視図である。
【図２】実施の形態１の掃除機本体の斜視図である。
【図３】実施の形態１の掃除機本体の平面図である。
【図４】実施の形態１の収容ユニットの斜視図である。
【図５】実施の形態１の収容ユニットの平面図である。
【図６】図５に示す収容ユニットのＣ−Ｃ線での断面図である。
【図７】図５に示す収容ユニットのＤ−Ｄ線での断面図である。
【図８】実施の形態１の吸込具の斜視図である。
【図９】実施の形態１の吸込具の平面図である。
【図１０】実施の形態１の吸込具の下面図である。
【図１１】実施の形態１の吸込具をボディの短手方向の視線で見た側面図である。
【図１２】実施の形態１の吸込具をボディの長手方向の視線で見た側面図である。
【図１３】図９に示す吸込具のＥ−Ｅ線での断面図である。
【図１４】図１３に示す吸込具からアジテーターが取り外された状態を示す断面図である。
【図１５】図１４に示すアジテーターが取り外された吸込具のＦ−Ｆ線での断面図である。
【図１６】図１３に示す吸込具のＧ−Ｇ線での断面図である。
【図１７】図１３に示す吸込具のＨ−Ｈ線での断面図である。
【図１８】図１５に示すアジテーターが取り外された吸込具の変形例を示す断面図である。
【図１９】実施の形態２の吸込具を示す断面図である。
【図２０】実施の形態３の吸込具を示す下面図である。
【図２１】実施の形態４の吸込具を示す下面図である。
【図２２】実施の形態５の吸込具を示す断面図である。
【図２３】実施の形態６の吸込具を示す断面図である。
【図２４】実施の形態７の吸込具を示す断面図である。
【図２５】実施の形態８の吸込具を示す断面図である。
【発明を実施するための形態】
【００１０】
以下、添付の図面を参照して、実施の形態について説明する。各図における同一の符号は、同一の部分または相当する部分を示す。本開示では、重複する説明については適宜に簡略化または省略する。なお、本開示における装置、器具、及び部品等の、個数、配置、向き、形状、及び大きさは、原則として、図面に示す個数、配置、向き、形状、及び大きさに限定されない。また、本開示は、以下の各実施の形態で説明する構成のうち、組み合わせ可能な構成のあらゆる組み合わせを含み得るものである。
【００１１】
実施の形態１．
図１は、実施の形態１の吸込具１を備える電気掃除機２００の斜視図である。電気掃除機２００は、例えば、吸込具１、接続パイプ２、吸引ホース３、掃除機本体４、伸縮パイプ５、及びハンドル６を備える。図１に示すように、吸込具１は、接続パイプ２、吸引ホース３、伸縮パイプ５及びハンドル６によって掃除機本体４に接続される。
【００１２】
本実施の形態の吸込具１及びこの吸込具１を備える電気掃除機２００によって掃除される面を、本開示では、「被清掃面」と称する。被清掃面には、例えば室内の床面等が含まれる。
【００１３】
吸込具１は、例えば、ボディ７、ジョイント８及び吸引パイプ９を備える。ボディ７は、被清掃面の塵埃を空気とともに吸い込むものである。ジョイント８は、ボディ７に対して吸引パイプ９を回動可能に連結させる。吸引パイプ９は、管状の部材である。
【００１４】
図１に示すように、吸引パイプ９の一端部は、ジョイント８に接続される。吸引パイプ９の他端部は、伸縮パイプ５の一端部に接続される。伸縮パイプ５は、伸縮自在に形成される管状の部材である。本実施の形態における伸縮パイプ５及び吸引パイプ９は、管状のワンドの一例である。
【００１５】
本実施の形態においてジョイント８と吸引パイプ９と伸縮パイプ５とは、それぞれ別の部材として形成される。また本実施の形態において吸引パイプ９と伸縮パイプ５とは、互いに着脱自在である。ジョイント８と吸引パイプ９とは、例えば一体的に形成されてもよい。また伸縮パイプ５と吸引パイプ９とは、例えば一体的に形成されてもよい。
【００１６】
接続パイプ２は、途中で折れ曲がった円筒状の部材である。接続パイプ２の一端部は、伸縮パイプ５の端部に接続される。すなわち吸込具１と接続パイプ２とは、伸縮パイプ５を介して接続される。また接続パイプ２の他端部は、吸引ホース３の一端部に接続される。吸引ホース３は、可撓性を有する蛇腹状の部材である。吸引ホース３の他端部は、掃除機本体４のホース接続口１０に接続される。ホース接続口１０は、掃除機本体４の前部に形成される。
【００１７】
掃除機本体４は、塵埃を含む空気から塵埃を分離し、塵埃が取り除かれた空気を排出するためのものである。以下、塵埃を含む空気を「汚れ空気」とも呼ぶ。また、塵埃が取り除かれた空気を「清浄空気」とも呼ぶ。清浄空気は、例えば、掃除機本体４から室内に戻される。また、掃除機本体４は、例えば、電源コード１１、及び車輪１２を備える。車輪１２は、掃除機本体４の後部の両側の側面に位置する。
【００１８】
ハンドル６は、電気掃除機２００の使用者によって把持される部位である。ハンドル６は、例えば接続パイプ２または伸縮パイプ５に取り付けられている。ハンドル６の一部は、例えばゲル状の軟質材で形成されてもよい。ハンドル６の一部が軟質材で形成されることによって、ハンドル６を把持する手とハンドル６との間の摩擦力が大きくなる。またハンドル６の一部が軟質材で形成されることによって、使用者がハンドル６を握りやすくなる。これにより、吸込具１及び電気掃除機２００の操作性がよくなる。なおハンドル６は、例えば伸縮パイプ５及び吸引パイプ９よりも軟らかい材料で形成されてもよい。
【００１９】
図１における両矢印は、ハンドル６の動かし方の一例を示している。ハンドル６が動くことにより、伸縮パイプ５及び吸引パイプ９が動く。ひねり方向Ａの動きは、伸縮パイプ５及び吸引パイプ９の中心軸周りの回転である。傾き方向Ｂの動きは、被清掃面に対する伸縮パイプ５及び吸引パイプ９の角度を変える動きである。
【００２０】
ハンドル６には、例えばスイッチ１３が設置されている。スイッチ１３は、例えばハンドル６の根元付近に設置される。スイッチ１３は、使用者が電気掃除機２００の運転を制御するためのものである。
【００２１】
電源コード１１は、掃除機本体４の内部の図示しないコードリール部に巻きつけられている。後述するように、掃除機本体４には、電動送風機２４が内蔵される。電源コード１１が外部の電源に接続されると、掃除機本体４の内部の電動送風機２４等の機器が通電する。電動送風機２４は、通電によって駆動する。電動送風機２４は、使用者によるスイッチ１３への操作に応じて、予め設定された動作を行う。
【００２２】
電動送風機２４が駆動すると、汚れ空気がボディ７に吸い込まれる。ボディ７に吸い込まれた汚れ空気は、ジョイント８、吸引パイプ９、伸縮パイプ５、接続パイプ２、及び吸引ホース３の内部を順に通って、掃除機本体４に送られる。ボディ７、ジョイント８、吸引パイプ９、伸縮パイプ５、接続パイプ２、及び吸引ホース３は、汚れ空気を掃除機本体４へ送る風路を形成する。
【００２３】
図２は、実施の形態１の掃除機本体４の斜視図である。図３は、実施の形態１の掃除機本体４の平面図である。図２及び図３に示すように、掃除機本体４は、収容ユニット１４及び集塵ユニット１５を備える。収容ユニット１４内には、掃除機本体４に備えられた機器のうち、集塵ユニット１５以外の各種の機器が収容される。またホース接続口１０は、収容ユニット１４の前端部に形成さる。車輪１２は、収容ユニット１４の後部の両側の側面に配置される。
【００２４】
集塵ユニット１５は、汚れ空気から塵埃を分離するものである。集塵ユニット１５は、分離した塵埃を一時的に溜める。例えば集塵ユニット１５は、内部で汚れ空気を旋回させることにより、遠心力によって塵埃を空気から分離する。例えば集塵ユニット１５は、サイクロン式の分離装置である。この集塵ユニット１５は、収容ユニット１４に対して着脱可能に取り付けられている。
【００２５】
図４は、実施の形態１の収容ユニット１４の斜視図である。図５は、実施の形態１の収容ユニット１４の平面図である。図４及び図５は、収容ユニット１４から集塵ユニット１５が取り外された状態を示す。図４及び図５に示すように、収容ユニット１４は、収容体１６及び収容体１７を備える。
【００２６】
収容体１６は、上方に向けて開口した箱状の部材である。収容体１６は、例えば、成型品である。電源コード１１が巻きつけられるコードリール部及び電動送風機２４は、収容体１６に収容されている。
【００２７】
収容体１７は、収容体１６に形成された上記開口を塞ぐように、収容体１６と結合される。収容体１７は、集塵ユニット１５を収容するための収容部１７ａを有する。集塵ユニット１５が収容される空間は、例えば収容部１７ａの上方に形成される。集塵ユニット１５が収容ユニット１４に適切に取り付けられると、集塵ユニット１５の要部は、収容部１７ａの上方の空間に配置される。すなわち収容ユニット１４に適切に取り付けられた集塵ユニット１５は、収容体１７の上方に配置される。
【００２８】
図４及び図５に示すように、収容ユニット１４には、第１接続口１８及び第２接続口１９が形成されている。第１接続口１８及び第２接続口１９は、例えば収容ユニット１４の上面に形成される。第１接続口１８及び第２接続口１９は、収容ユニット１４の後端部に寄って配置されている。
【００２９】
第１接続口１８は、例えば収容ユニット１４の側面のうちの一方に寄って配置されている。第２接続口１９は、例えば収容ユニット１４の両側面から等距離となる位置に配置されている。第１接続口１８及び第２接続口１９は、集塵ユニット１５が収容ユニット１４に取り付けられた状態において、集塵ユニット１５の内部に通じる。
【００３０】
図６は、図５に示す収容ユニット１４のＣ−Ｃ線での断面図である。図７は、図５に示す収容ユニット１４のＤ−Ｄ線での断面図である。図６及び図７に示すように、収容ユニット１４は、吸気風路形成部２０を備える。吸気風路形成部２０は、掃除機本体４の内部に吸気風路２１を形成するものである。吸気風路２１は、汚れ空気を集塵ユニット１５に導くための風路である。
【００３１】
吸気風路形成部２０は、収容体１６の内部空間を通過するように設けられている。吸気風路形成部２０の一端は、収容ユニット１４の前面で開口する。吸気風路形成部２０の上記一端には、ホース接続口１０が形成される。また吸気風路形成部２０の他端は、収容ユニット１４の上面で開口する。つまり、吸気風路形成部２０の他端は、収容体１７で開口する。吸気風路形成部２０の上記他端には、集塵ユニット１５と接続される第１接続口１８が形成される。
【００３２】
また収容ユニット１４は、図６及び図７に示すように、排気風路形成部２２を備える。排気風路形成部２２は、掃除機本体４の内部に排気風路２３を形成する。排気風路２３は、集塵ユニット１５から排出された清浄空気を、図示しない排気口に導くための風路である。
【００３３】
排気風路形成部２２は、収容体１６の内部空間を通過するように設けられている。排気風路形成部２２の一端は、収容ユニット１４の上面で開口する。つまり、排気風路形成部２２の一端は、収容体１７で開口する。排気風路形成部２２の上記一端には、集塵ユニット１５と接続される第２接続口１９が形成される。また排気風路形成部２２の他端は、収容ユニット１４の外方に向けて開口する。排気風路形成部２２の上記の他端は、図示しない排気口が形成される。
【００３４】
図６及び図７に示すように、収容ユニット１４の内部には、電動送風機２４が備えられている。電動送風機２４は、電気掃除機２００に形成された各風路に気流を発生させるためのものである。電気掃除機２００に形成された各風路には、例えば、外部から掃除機本体４の内部に汚れ空気を流入させるための風路、吸気風路２１、集塵ユニット１５内の空間及び排気風路２３である。電動送風機２４は、例えば収容ユニット１４の後端部寄りに配置される。また電動送風機２４は、例えば排気風路２３内に配置される。
【００３５】
電動送風機２４が駆動すると、電気掃除機２００に形成された各風路に気流が発生する。このとき、吸込具１、接続パイプ２、吸引ホース３及び伸縮パイプ５の内部には吸引力が発生する。吸込具１のボディ７に吸い込まれた汚れ空気は、ホース接続口１０から掃除機本体４の内部に取り込まれる。
【００３６】
掃除機本体４の内部に流入した汚れ空気は、吸気風路２１を経て、第１接続口１８から集塵ユニット１５に送られる。集塵ユニット１５の内部では、汚れ空気から塵埃が分離される。集塵ユニット１５によって塵埃が分離された清浄空気は、集塵ユニット１５から排出される。集塵ユニット１５から排出された清浄空気は、排気風路２３に流入する。排気風路２３に流入した清浄空気は、電動送風機２４を通過する。電動送風機２４を通過した清浄空気は、排気風路２３を更に進み、排気口から掃除機本体４の外部に排出される。
【００３７】
次に、本実施の形態の吸込具１についてより詳細に説明する。図８は、実施の形態１の吸込具１の斜視図である。図９は、実施の形態１の吸込具１の平面図である。図１０は、実施の形態１の吸込具１の下面図である。図１１は、実施の形態１の吸込具１をボディ７の短手方向の視線で見た側面図である。図１２は、実施の形態１の吸込具１をボディの長手方向の視線で見た側面図である。図８から１２に示すように、吸込具１は、例えば、ボディ７、ジョイント８及び吸引パイプ９を備える。
【００３８】
図９の平面図は、水平面に置かれた吸込具１を上方から見た図である。図１０の下面図は、水平面に置かれた吸込具１を下方から見た図である。図９及び図１０に示すように、平面視におけるボディ７の長手方向の寸法は、この長手方向に対して垂直な短手方向の寸法よりも長い。本開示では、平面視におけるボディ７の長手方向を、単に「長手方向」とも称する。同様に、平面視におけるボディ７の短手方向を、単に「短手方向」とも称する。
【００３９】
ここで、ボディ７の長手方向の寸法を長さＬとする。またボディ７の短手方向の寸法を、幅Ｗとする。長さＬは、幅Ｗよりも長い。図９及び図１０に示すように、平面視において、ボディ７の長手方向の一端７ａ及び他端７ｂは、例えば直線状である。平面視において、一端７ａ及び他端７ｂは、例えば少なくとも一部が曲線状または折れ線状であってもよい。この場合、ボディ７の長さＬは、平面視における一端７ａと他端７ｂとの間の長手方向の最大長さを指すものとする。
【００４０】
また本実施の形態におけるボディ７の幅Ｗは、長手方向に沿って一定である。ボディ７の構成は、このような構成に限られない。例えば、ボディ７の幅Ｗは、長手方向に沿って変化してもよい。この場合、ボディ７の幅Ｗは、ボディ７の短手方向の最大寸法を指すものとする。また水平面に置かれた吸込具１を上方から見た際、ボディ７の外形は、例えば正方形状等であってもよい。
【００４１】
本開示では、使用者が吸込具１をボディ７の短手方向に往復させて清掃をする場合に当該使用者から見たときの前後左右方向を、前後左右方向として定義する。すなわちボディ７の短手方向を、前後方向して定義する。またボディ７の長手方向を、左右方向として定義する。すなわち図１１の側面図は、吸込具１を後方から見た図である。また図１２の側面図は、吸込具１を左方から見た図である。電気掃除機２００の使用者は、例えばハンドル６を把持した状態で、ボディ７を含む吸込具１を前後に動かすことによって掃除を行う。
【００４２】
ボディ７は、例えば図８に示すように、上ボディ７１及び下ボディ７２を含んでもよい。また本実施の形態のボディ７は、底面７３を有する。底面７３は、吸込具１を備えた電気掃除機２００が使用者によって使用される際に被清掃面に対向する。底面７３は、例えば下ボディ７２に含まれる。以下では、原則として、この底面７３が水平面に対向している状態を基準にして、吸込具１について説明する。
【００４３】
底面７３には、吸込口７４が形成される。一例として吸込口７４は、底面７３の前側部分に形成される。吸込口７４は、塵埃及び空気、すなわち汚れ空気を吸い込むための開口である。吸込口７４は、電気掃除機２００が使用者によって使用される際に被清掃面に対向する。吸込口７４は、例えばボディ７の長手方向に沿って形成される。一例として吸込口７４の長手方向は、ボディ７の長手方向に一致する。本実施の形態における吸込口７４の形状は、左右方向に伸びた形状である。本開示では、吸込口７４の長手方向を、平面視におけるボディ７の長手方向と同様に単に「長手方向」とも称する。
【００４４】
上述した通り、本実施の形態のボディ７には、ジョイント８が接続される。ジョイント８は、例えば左右方向の中央となる位置でボディ７に接続される。またジョイント８は、一例としてボディ７の後側部分に接続される。なお、ボディ７及びジョイント８の構成は、上記の構成に限定されない。例えばジョイント８は、ボディ７の左右方向の中央に対して、一端７ａ側または他端７ｂ側に偏った位置に配置されてもよい。またジョイント８は、例えばボディ７の前側部分に接続されてもよい。
【００４５】
本実施の形態のジョイント８は、第１回動部８１及び第２回動部８２を備える。第１回動部８１は、第１回転軸Ｘを中心にしてボディ７に対して回動可能に形成される。第２回動部８２は、第２回転軸Ｙを中心にして第１回動部８１に対して回動可能に形成される。第１回動部８１が第１回転軸Ｘを中心に回動すると、第２回動部８２は第１回動部８１とともに回動する。第１回動部８１は、ボディ７と第２回動部８２とを繋ぐ。また第２回動部８２には、吸引パイプ９が接続される。
【００４６】
図８中に、第１回転軸Ｘ及び第２回転軸Ｙを一点鎖線で示す。本実施の形態において第１回転軸Ｘは、平面視におけるボディ７の長手方向に対して実質的に平行である。また第２回転軸Ｙは、平面視において第１回転軸Ｘに対して実質的に垂直である。第１回転軸Ｘと第２回転軸Ｙとは、互いに平行ではない。また図１２に示す状態においては、第２回転軸Ｙは、第１回転軸Ｘに交差しない。ジョイント８は、第１回動部８１と第２回動部８２とによって、例えばＴ字状に形成される。
【００４７】
ここで、「実質的に平行」とは、完全に平行な状態に対して一定角度の範囲を含むものとする。同様に、「実質的に垂直」とは、完全に垂直な状態に対して一定角度の範囲を含むものとする。一定角度の範囲とは、例えば±１０°の範囲である。本開示においては、この「実質的に平行」を、単に「平行」とも称する。また本開示においては、この「実質的に垂直」を、単に「垂直」とも称する。
【００４８】
吸引パイプ９の内部には、例えば図８に示すように、パイプチャネル９１が形成されている。吸引パイプ９は、第２回動部８２に接続される。吸引パイプ９は、例えば第２回動部８２と一体となっていてもよい。第２回動部８２が回動すると、吸引パイプ９は、この第２回動部８２と共に回動する。
【００４９】
本実施の形態において吸引パイプ９の長手軸９２は、第２回動部８２に対して傾斜する。すなわち長手軸９２は、第２回転軸Ｙに対して傾斜する。なお長手軸９２は、例えば第２回転軸Ｙと同軸または第２回転軸Ｙと平行でもよい。またパイプチャネル９１の長手軸９２に垂直な断面の形状は、例えば円形でもよい。長手軸９２は、例えばパイプチャネル９１の円形の断面の中心を通る軸であってもよい。
【００５０】
本開示では、ボディ７の長手方向に平行な視点において、ボディ７の短手方向に対する吸引パイプ９の長手軸９２の角度を、第１角度αとする。換言すると第１角度αは、図１２に示すように、ボディ７の長手方向に平行な視点において、底面７３と平行な仮想平面Ｐ１と長手軸９２とがなす優角である。すなわち第１角度αは、ボディ７の長手方向に平行な視線において、底面７３と長手軸９２とのなす優角である。
【００５１】
図１２における両矢印は、第１回動部８１が第１回転軸Ｘを中心として回動可能な角度範囲の一例を示している。図１２に示すように、ジョイント８は、吸込口７４の長手方向と垂直な面内で回動可能である。図１２に示すように、第１角度αの大きさは、第１回動部８１が第１回転軸Ｘを中心に回動することによって変えられる。第１回動部８１が第１回転軸Ｘを中心として回動可能な角度範囲は、例えば、第１角度αが９０°から１８０°まで変わりうる範囲である。なお、第１回動部８１が第１回転軸Ｘを中心として回動可能な角度範囲は、上記の範囲に限られない。
【００５２】
また本開示では、図１１に示すように、仮想平面Ｐ２と仮想平面Ｐ３との間の角度を第２角度βとする。仮想平面Ｐ２は、ボディ７の長手方向に平行な仮想直線及び吸引パイプ９の長手軸９２を含む平面である。仮想平面Ｐ３は、底面７３に平行な平面である。
【００５３】
図１１における両矢印は、第２回動部８２が第２回転軸Ｙを中心として回転可能な角度範囲の一例を示している。第２角度βの大きさは、第２回動部８２が第２回転軸Ｙを中心として回転することによって変えられる。第２回動部８２が第２回転軸Ｙを中心として回転可能な角度範囲は、例えば、第２角度βが０°から１８０°まで変わりうる範囲である。なお、第２回動部８２が第２回転軸Ｙを中心として回動可能な角度範囲は、上記の範囲に限られない。
【００５４】
本実施の形態においてジョイント８は、第１回転軸Ｘ及び第２回転軸Ｙを中心として回動することできる。例えば、使用者によってハンドル６及び伸縮パイプ５がひねり方向Ａに動かされると、第２角度βが増減する。また、例えば、使用者によってハンドル６及び伸縮パイプ５が傾き方向Ｂに動かされると、第１角度αが増減する。
【００５５】
本実施の形態であれば、底面７３及び吸込口７４が向く方向は、図１のひねり方向Ａの動き及び傾き方向Ｂの動きに関係なく維持される。例えば底面７３は、被清掃面に対して平行に維持される。また、例えば、被清掃面に対する吸込口７４の位置が維持される。これにより、吸込口７４の周辺の真空度が低下することが抑制される。本実施の形態であれば、使用者からの操作に依らず塵埃及び空気を吸引する性能を良好に維持することができる吸込具１が得られる。
【００５６】
また図１２に示すように、吸込具１は、長手軸９２と第１回転軸Ｘとが交差するように形成されてもよい。このように構成することにより、第１回転軸Ｘを中心として第１回動部８１が回転して第１角度αが増減しても、長手軸９２と第１回転軸Ｘとが交差する位置での風路の断面積を一定にすることができる。本例によれば、塵埃及び空気を吸引する性能がより良好である吸込具１が得られる。
【００５７】
また図１０に示すように、本実施の吸込具１は、アジテーター２５及びモーター２６を備える。アジテーター２５及びモーター２６は、ボディ７の内部に収容される。アジテーター２５は、ボディ７に対して回転可能に取り付けられる。アジテーター２５は、回転することによって被清掃面から塵埃を掻き上げる。また本実施の形態のアジテーター２５は、ボディ７に対して着脱自在に形成される。なおアジテーター２５は、例えばボディ７に対して固定されていてもよい。また吸込具１は、例えばアジテーター２５及びモーターを備えないものであってもよい。
【００５８】
アジテーター２５は、例えば筒状の基体と突出部材とを有する。突出部材には、例えば繊維質のブラシ毛またはブレード状の軟質材が含まれる。突出部材は、繊維質のブラシ毛とブレード状の軟質材との組み合わせによって形成されてもよい。突出部材は、筒状の基体の外周に保持される。突出部材は、一例として基体の外周に、アジテーター２５の回転軸Ｒ１を中心とするつるまき状に配列される。突出部材は、少なくとも２列以上、例えば４列配列されてもよい。複数列の突出部材の間には、つるまき状の谷部が形成されてもよい。このようにしてアジテーター２５は、形成される。なおアジテーター２５の構造は本例に限定されない。例えば突出部材は、回転軸Ｒ１と平行に配列されてもよい。アジテーター２５は、回転することによって塵埃を掻き上げるものであればよい。本実施の形態においてアジテーター２５の外形は、円筒状である。
【００５９】
本実施の形態においてアジテーター２５の回転軸Ｒ１は、ボディ７の長手方向に対して平行である。換言すると、アジテーター２５は、吸込口７４及びボディ７の長手方向に沿って配置される。なお、例えばボディ７が上ボディ７１及び下ボディ７２を含む場合には、アジテーター２５は下ボディ７２に取り付けられてもよい。またアジテーター２５は、上ボディ７１に取り付けられてもよい。
【００６０】
アジテーター２５の長手方向の一端側には、被駆動輪２７が連結されている。被駆動輪２７は、アジテーター２５と一体になって回転する。アジテーター２５の長手方向の他端側は、例えばシャフト２８を介して、ボディ７に対して回転可能に支持されている。
【００６１】
モーター２６は、アジテーターを回転させる駆動手段の一例である。モーター２６は、アジテーター２５を回転させるための動力を出力する。本実施の形態におけるモーター２６は、電動機である。なお、アジテーター２５を回転させる駆動手段は、電動機に限定されるものではない。アジテーター２５を回転させる駆動手段は、例えば、空気流によって回転するタービンでもよい。このように、アジテーター２５を回転させる駆動手段には、各種の駆動装置が含まれる。
【００６２】
モーター２６は、アジテーター２５よりも後方に配置される。モーター２６は、駆動シャフト２９を備える。本実施の形態において駆動シャフト２９の回転軸Ｒ２は、アジテーター２５の回転軸Ｒ１に対して平行である。駆動シャフト２９は、例えば駆動ベルト３０を介して被駆動輪２７に接続されている。モーター２６から出力された動力は、駆動シャフト２９、駆動ベルト３０及び被駆動輪２７を介してアジテーター２５に伝達する。これにより、アジテーター２５が回転する。なお、モーター２６から出力された動力は、例えばギヤトレーンなどの伝達手段によってアジテーター２５へ伝達されてもよい。
【００６３】
上述した通り、本実施の形態において、モーター２６の駆動シャフト２９の回転軸Ｒ２は、アジテーター２５の回転軸Ｒ１に対して平行である。これにより、モーター２６を配置する空間が省スペースになる。また吸込口７４の面積を大きくできる。また吸込具１が軽量化される。なお本実施の形態では、モーター２６から駆動シャフト２９が突出する方向は、図１０に示すように、アジテーター２５に対して被駆動輪２７が配置される方向と同じ方向である。
【００６４】
また図１０に示すように、吸込具１は、例えばアジテータースイッチ３１を備えてもよい。アジテータースイッチ３１は、ボディ７の底面７３に対して下方に突出する。アジテータースイッチ３１は、被清掃面等に接触することによって上方へ押し込まれる。モーター２６は、例えばこのアジテータースイッチ３１が上方へ押し込まれることによって駆動してもよい。
【００６５】
また吸込具１は、例えば少なくとも１つのホイール３２を備えても良い。ホイール３２は、ボディ７の底面に取り付けられる。ホイール３２は、被清掃面に対して転がりながらボディ７を支持する。ホイール３２は、吸込具１と被清掃面との間の摩擦を軽減する。
【００６６】
図１３は、図９に示す吸込具１のＥ−Ｅ線での断面図である。図１４は、図１３に示す吸込具１からアジテーター２５が取り外された状態を示す断面図である。図１５は、図１４に示すアジテーター２５が取り外された吸込具１のＦ−Ｆ線での断面図である。図１６は、図１３に示す吸込具１のＧ−Ｇ線での断面図である。図１７は、図１３に示す吸込具１のＨ−Ｈ線での断面図である。以下、図１３から図１７も更に参照し、本実施の形態の吸込具１についてより詳細に説明する。
【００６７】
ジョイント８の内部には、図１３及び図１４に示すように、第１風路の一例としてジョイントチャネル８３が形成される。ジョイントチャネル８３は、吸込口７４から吸引された塵埃を吸引パイプ９へ送るための風路である。ジョイントチャネル８３は、パイプチャネル９１に連通する。
【００６８】
ボディ７の内部には、図１３及び図１４に示すように、第２風路の一例としてボディチャネル７５が形成される。ボディチャネル７５は、吸込口７４を介してボディ７の外部と連通する。ボディチャネル７５は、吸込口７４から吸引された塵埃をジョイントチャネル８３へ送るための風路である。
【００６９】
ジョイント８には、図１３及び図１４に示すように、通気口８４が形成される。通気口８４は、ジョイントチャネル８３とボディチャネル７５とを連通させる開口である。換言すると、吸込口７４は、ボディチャネル７５を介して通気口８４に連通する。またボディチャネル７５は、通気口８４を介してジョイントチャネル８３に連通する。
【００７０】
上述の通り、本実施の形態のジョイント８は、ボディ７の後側部分に接続される。ジョイント８に形成された通気口８４は、吸込口７４に対して、後方にある。すなわち通気口８４は、吸込口７４に対して、上下方向及び吸込口７４の長手方向に垂直な方向の一側にある。通気口８４は、ボディ７の内部に向く。通気口８４は、例えば長手軸９２に対して垂直である。通気口８４の向きは、第１回動部８１が回動することによって変わる。例えば、使用者が吸込具１によって床面を清掃する際、通気口８４は前方斜め下を向く。
【００７１】
本実施の形態のボディ７は、図１３から図１７に示すように、仕切部７６を有する。仕切部７６、下方に向けてボディチャネル７５に突出する。仕切部７６は、図１５から図１７に示すように、吸込口７４の長手方向に沿って形成される。仕切部７６は、例えば板状に形成される。ボディチャネル７５は、仕切部７６によって、第１吸引チャネル７５ａと第２吸引チャネル７５ｂとに区画される。
【００７２】
本実施の形態において第１吸引チャネル７５ａは、図１３から図１７に示すように、仕切部７６の後方に形成される。また第２吸引チャネル７５ｂは、仕切部７６の前方に形成される。換言すると、平面視において第１吸引チャネル７５ａは、仕切部７６に対して、吸込口７４の長手方向に垂直な方向の一側にある。また平面視において第２吸引チャネル７５ｂは、仕切部７６に対して、吸込口７４の長手方向に垂直な方向の他側にある。第１吸引チャネル７５ａの輪郭の一部は、仕切部７６と隔壁７８とによって形成される。
【００７３】
本実施の形態においてアジテーター２５は、ボディチャネル７５の内部に配置される。またアジテーター２５は、仕切部７６に対して前方に配置される。すなわちアジテーター２５は、第２吸引チャネル７５ｂ内に配置される。ここで、アジテーター２５が収容される空間をアジテーターチャンバ７５ｃとして定義する。図１３、図１４、図１６及び図１７に示すように、本実施の形態において第２吸引チャネル７５ｂとアジテーターチャンバ７５ｃとは、同一の空間である。図１３及び図１４に示すように、仕切部７６は、アジテーターチャンバ７５ｃの輪郭の一部を形成している。アジテーターチャンバ７５ｃは、吸込口７４を介してボディ７の外部と連通する。
【００７４】
ボディ７は、例えばアジテーターチャンバ形成部７７を有する。アジテーターチャンバ形成部７７は、アジテーター２５の上方から前方に渡って形成される。アジテーターチャンバ形成部７７は、仕切部７６と共にアジテーターチャンバ７５ｃの輪郭の一部を形成する。
【００７５】
なおアジテーターチャンバ７５ｃは、仕切部７６及びアジテーターチャンバ形成部７７とは別の部材から形成されてもよい。アジテーターチャンバ７５ｃは、第２吸引チャネル７５ｂと同一の空間でなくてもよい。アジテーターチャンバ７５ｃは、例えば第２吸引チャネル７５ｂの一部分であってもよい。
【００７６】
図１３及び図１４に示すように、本実施の形態の仕切部７６は、アジテーター２５の外形に沿った円弧状に形成される。すなわち仕切部７６は、アジテーター２５の外形に沿ってアジテーター２５に対向する面を有する。同様に、アジテーターチャンバ形成部７７は、アジテーター２５の外形に沿ってアジテーター２５に対向する面を有してもよい。これにより、アジテーターチャンバ７５ｃの輪郭の一部は、アジテーター２５の外形に沿った形になる。アジテーターチャンバ７５ｃは、円筒状の空間に形成される。上記の構成により、アジテーター２５と仕切部７６とが近接する。またアジテーター２５とアジテーターチャンバ形成部７７とも、同様に近接する。
【００７７】
なお仕切部７６の形状は上記の形状に限られない。仕切部７６は、例えば鉛直下方に向けて突出してもよい。また仕切部７６は、アジテーター２５の外形に沿った円弧状の部位と鉛直下方に突出する部位とを有してもよい。例えば仕切部７６のうち、上端からアジテーター２５の回転軸Ｒ１と同等高さの部分までは円弧状に形成されてもよい。仕切部７６のうちアジテーター２５の回転軸Ｒ１と同等高さより低い部分は、鉛直下方に突出してもよい。
【００７８】
ボディ７は、図１３、図１４、図１６及び図１７に示すように、モーター２６が収容される空間とボディチャネル７５とを隔てる隔壁７８を有する。本実施の形態の隔壁７８は、ボディ７及び吸込口７４の長手方向に沿って形成される。隔壁７８は、例えばアジテーター２５の回転軸Ｒ１と駆動シャフト２９の回転軸Ｒ２とに対して平行に配置される。隔壁７８は、仕切部７６から一定距離だけ離れている。隔壁７８は、仕切部７６の後方に配置される。換言すると、仕切部７６は、アジテーター２５と隔壁７８との間にある。
【００７９】
また本実施の形態の仕切部７６には、図１５に示すように、遠位部１０１、近位部１０２及び中間部１０３が含まれる。遠位部１０１は、ボディ７の長手方向の端部に隣接する部位である。遠位部１０１には、例えば仕切部７６の長手方向の一端及び他端が含まれる。本実施の形態において遠位部１０１には、仕切部７６の左端及び右端が含まれる。近位部１０２は、遠位部１０１に比べて通気口８４に近い部位である。近位部１０２には、例えば仕切部７６のうち通気口８４に最も近い部分が含まれる。本実施の形態において近位部１０２には、仕切部７６の長手方向の中央部が含まれる。
【００８０】
本実施の形態の近位部１０２は、遠位部１０１及び中間部１０３よりも下方に突出する。すなわち近位部１０２の下端は、遠位部１０１の下端及び中間部１０３の下端よりも下方にある。中間部１０３は、遠位部１０１よりも下方に突出する。すなわち中間部１０３の下端は、遠位部１０１の下端よりも下方にある。遠位部１０１の下端は、近位部１０２の下端及び中間部１０３の下端よりも上方にある。
【００８１】
すなわち仕切部７６の上下方向の寸法は、吸込口７４に近づくほど大きくなる。仕切部７６の下端の稜線と底面７３に形成された吸込口７４との距離は、通気口８４に近づくほど短くなる。ボディチャネル７５のうち、仕切部７６の下方に位置する部分の上下方向寸法は、通気口８４に近づくほど小さくなる。
【００８２】
図１３中の矢印および図１４中の矢印は、電動送風機２４が作動した際の塵埃及び空気の流れを示すものである。電動送風機２４が作動すると、吸込口７４から第２吸引チャネル７５ｂに塵埃及び空気が吸引される。第２吸引チャネル７５ｂに吸引された塵埃及び空気は、第１吸引チャネル７５ａ、通気口８４及びジョイントチャネル８３を経由して、パイプチャネル９１へ流入する。
【００８３】
図１３及び図１４に示すように、吸込具１内を流れる空気は、仕切部７６の下方を通る。仕切部７６の下方を通る空気の風速は、通気口８４から離れるほど小さくなる傾向がある。本実施の形態では上記の仕切部７６により、仕切部７６の下方においては、通気口８４から離れるほど空気が流れる空間の上下方向寸法が大きく。仕切部７６の下方においては、通気口８４から離れるほど、風路の実質的な断面積が大きくなる。本実施の形態であれば、通気口８４から離れた位置にも十分に空気が流れる。
【００８４】
上記の実施の形態の吸込具１は、遠位部１０１、近位部１０２及び中間部１０３が含まれる仕切部７６を有している。近位部１０２は、遠位部１０１及び中間部１０３よりも下方に突出する。中間部１０３は、遠位部１０１よりも下方に突出する。これにより、広範囲に渡って存在する塵埃をムラなく吸い込むことができ、塵埃を吸引する性能がより良好である吸込具１が得られる。また、この吸込具１を備えた電気掃除機２００が提供される。
【００８５】
吸込具１及び電気掃除機２００は、この吸込具１に対する塵埃の位置によらず、当該塵埃を安定的に吸引できる。これにより、例えば吸込具１をボディ７の長手方向に移動させて清掃する手間が少なくなる。例えば使用者による吸込具１の移動量が少なくなる。また広範囲の被清掃面を清掃するために必要な時間が短くなる。上記の実施の形態であれば、使用者にとって使い勝手のよい吸込具１及び電気掃除機が提供される。
【００８６】
上記の実施の形態の吸込具１は、塵埃を掻き上げるアジテーター２５を備える。これにより、吸込具１は効率よく塵埃を吸引することができる。またアジテーター２５は、仕切部７６の前方でボディチャネル７５の内部に配置される。すなわちアジテーター２５は、第２吸引チャネル７５ｂに配置される。上記の仕切部７６により、アジテーター２５によって掻き上げられた塵埃は、効率よく仕切部７６の後方の第１吸引チャネル７５ａに流れ込む。上記の実施の形態によれば、塵埃を吸引する性能がより良好である吸込具１が得られる。
【００８７】
上記の実施の形態において仕切部７６は、アジテーターチャンバ７５ｃの輪郭の一部を形成する。このため、アジテーターチャンバ７５ｃを形成するための部材が別途必要ではなくなる。これにより、ボディチャネル７５の形状が平滑化され、吸込具１が塵埃を吸引する性能がより良好になる。
【００８８】
また上記の実施の形態であれば、アジテーター２５と仕切部７６との距離が短くなる。すなわちアジテーター２５と仕切部７６との間の隙間が小さくなる。同様に、アジテーター２５とアジテーターチャンバ形成部７７との間の隙間が小さくなる。換言すると、アジテーターチャンバ７５ｃのうち、アジテーター２５が占めていない空間がより小さくなる。このため、アジテーターチャンバ７５ｃに流れる空気の量が減り、より多くの空気が第１吸引チャネルに流れ込む。これにより、上記の実施の形態であれば、塵埃を吸引する性能がより良好である吸込具１が得られる。なお、アジテーター２５と仕切部７６との距離は、回転しているアジテーター２５の外周と仕切部７６との距離を指す。アジテーター２５と仕切部７６との距離は、ブラシ毛等の突出部材による細かな凹凸に依らない。
【００８９】
また仕切部７６の形状は、一定の断面形状が長手方向に連続した形状であってもよい。すなわち仕切部７６は、長手方向に垂直な断面形状が、この長手方向の位置によらず同一になるように形成されてもよい。これにより、仕切部７６とアジテーター２５との間の距離が、長手方向の位置に依らず一定になる。これにより、アジテーターチャンバ７５ｃに流れる空気の量がより少なくなる。
【００９０】
上記の実施の形態の仕切部７６は、下方に突出する。すなわち仕切部７６は、上下方向に沿って伸びている。これにより、下方から上方に向く強い気流を第１吸引チャネル７５ａに生じさせることができる。また吸込口７４から第１吸引チャネル７５ａに向かう空気の風速がより大きくなる。上記の実施の形態であれば、より強力に塵埃を吸引することができる吸込具１が得られる。また、例えばアジテーター２５によって掻き上げられた塵埃は、より強力に第１吸引チャネル７５ａに吸引される。
【００９１】
使用者は、例えば吸込具１を前後に往復させることで被清掃面の清掃を行う。上記の実施の形態であれば、例えば第１吸引チャネル７５ａに流れる空気の風速が、吸込具１の移動速度に対して不足することが防止される。上記の実施の形態の吸込具１であれば、使用者による操作に依らず、十分に塵埃を吸引することができる。また、下方から上方に向く強い気流が第１吸引チャネル７５ａに生じることにより、例えば通気口８４が斜め下方を向いている状態においても、アジテーターチャンバ７５ｃに流入する空気の量が少なくなる。
【００９２】
また、例えば図１５に示すように、吸込口７４の長手方向及び上下方向に垂直な視点において、仕切部７６は通気口８４の少なくとも一部と重なっていてもよい。このような構成により、下方から上方に向くより強い気流が第１吸引チャネル７５ａ内に生じる。
【００９３】
吸込具１は、例えば図１３及び図１４に示すように、前方から後方に向けて上方に傾斜したスロープ部７９を有してもよい。スロープ部７９は、吸込口７４から通気口８４に向けて上方に傾斜する。スロープ部７９が形成されることにより、吸込口７４から第１吸引チャネル７５ａ及び通気口８４に向けて、塵埃が効率よく搬送される。また、例えば図１０、図１３及び図１４に示すように、仕切部７６の下端は、スロープ部７９の前端よりも後方に配置されてもよい。換言すると、仕切部７６の下端は、下方からの視点においてスロープ部７９と重なっていてもよい。これにより、塵埃がより効率よく第１吸引チャネル７５ａ及び通気口８４に向けて搬送される。
【００９４】
また図１８は、図１５に示すアジテーターが取り外された吸込具１の変形例を示す断面図である。吸込口の長手方向及び上下方向に垂直な視点における仕切部７６の下端の稜線は、図１８に示すように、波型等の上下に激しく変化するものであってもよい。この稜線を、例えば線形近似及び多項式近似等の手法によって平滑化した線が、通気口８４に近づくほど下方にいくものであればよい。仕切部７６は、上述した遠位部１０１、近位部１０２及び中間部１０３を有していればよい。仕切部７６の上下方向寸法は、例えば下端の細かな凹凸に依らず、全体的な形状から定められる。このようにして定められた仕切部７６の上下方向寸法が、通気口８４に近づくほど大きくなればよい。
【００９５】
実施の形態２．
次に実施の形態２について説明する。図１９は、実施の形態２の吸込具１を示す断面図である。図１９を参照し、実施の形態１との相違点を説明する。実施の形態１と同一または相当する部分については、同じ符号を付し、説明を簡略化または省略する。
【００９６】
本実施の形態の吸込具１の基本的な構成は、実施の形態１と同様である。図１９は、本実施の形態における、図９に示すＥ−Ｅ線での断面図である。本実施の形態の吸込具１が備える仕切部７６の前面の形状は、アジテーター２５の外形に沿った形状となっている。また仕切部７６の後面の形状は、上下方向に沿った仮想平面に対して、前面と対称的な形状となっている。すなわち図１９の側面視において、仕切部７６の前面及び後面は、円弧状になっている。このような構成によれば、第１吸引チャネル７５ａに向かってより強力に空気が流れ込む。
【００９７】
また本実施の形態のように、仕切部７６の前後方向の寸法は一定でなくても良い。例えば、仕切部７６の後面は底面７３に対して垂直に形成されていても良い。また、仕切部７６は、上方になるにつれて後方に寸法が増しても良い。このような構成によれば、ボディ７の強度がより高くなる。また、第１吸引チャネル７５ａに気流がよりスムーズに流れる。なお仕切部７６の内部には、例えば空洞が形成されても良い。
【００９８】
実施の形態３．
次に実施の形態３について説明する。図２０は、実施の形態３の吸込具１を示す下面図である。図２０を参照し、実施の形態１及び実施の形態２との相違点を説明する。実施の形態１及び実施の形態２と同一または相当する部分については、同じ符号を付し、説明を簡略化または省略する。
【００９９】
本実施の形態において底面７３には、溝状風路１０４が形成される。溝状風路１０４は、ボディ７の側方の外部空間とボディチャネル７５とを繋ぐ。溝状風路１０４には、ボディ７の外部からボディチャネル７５に向けて空気が流れる。溝状風路１０４は、アジテーター２５の回転軸Ｒ１よりも前方に配置される。
【０１００】
アジテーター２５の右方及び左方には、例えばアジテーター２５を動かすための被駆動輪２７等が設けられる。このため、吸込具１は、被清掃面のうちアジテーター２５の側方に位置する領域の塵埃を直接的には掻き取ることができない。本実施の形態であれば、アジテーター２５によって直接的に掻き取ることができない領域にある塵埃が、溝状風路１０４を流れてアジテーターチャンバ７５ｃに搬送される。これにより、アジテーター２５は、アジテーター２５の側方に位置する領域の塵埃を間接的に掻き取ることができる。本実施の形態の吸込具１であれば、より広範囲にある塵埃を吸引することができる。
【０１０１】
なお溝状風路１０４は、例えば図２０に示すように、底面７３の左端部の前部及び右端部の前部に形成される。平面視において溝状風路１０４は、例えば図２０に示すように、ボディ７の長手方向及び短手方向に対して傾斜している。溝状風路１０４をこのように形成することにより、アジテーター２５の前方及び側方の塵埃が、アジテーターチャンバ７５ｃに効果的に送られる。なお底面７３の右端部に形成された溝状風路１０４とは、底面７３の左端部に形成された溝状風路１０４とは、大きさが異なってもよい。また底面７３には、溝状風路１０４の周囲に、真空度を高めるためのシール材として植毛等が設けられてもよい。
【０１０２】
本実施の形態のようにボディ７には、例えば側面等の底面７３以外の面に、塵埃及び空気を吸い込むための開口が、さらに形成されていてもよい。この場合、ボディ７の底面７３以外の面に形成された開口の総開口面積は、底面７３に形成された吸込口７４の開口面積より小さいことが望ましい。そのように構成することで、以下の効果が得られる。塵埃は、主として、吸込口７４から吸引されるため、吸込具１は塵埃を安定的に吸引することができる。
【０１０３】
実施の形態４．
次に実施の形態４について説明する。図２１は、実施の形態４の吸込具１を示す下面図である。本実施の形態の吸込具１の基本的な構成は、実施の形態３と同様である。図２１を参照し、実施の形態３との相違点を説明する。実施の形態３と同一または相当する部分については、同じ符号を付し、説明を簡略化または省略する。
【０１０４】
本実施の形態の底面７３には、実施の形態３における溝状風路１０４に代えて溝状風路１０５が形成される。溝状風路１０５は、溝状風路１０４と同様の風路である。溝状風路１０５は、アジテーター２５の回転軸Ｒ１よりも後方に配置される。これにより、より多くの塵埃が第１吸引チャネル７５ａに送られる。
【０１０５】
また溝状風路１０５は、例えば仕切部７６よりも後方に形成されてもよい。これにより溝状風路１０５は、第１吸引チャネル７５ａに連通する。本例であれば、多くの塵埃がより効率よく第１吸引チャネル７５ａに送られる。
【０１０６】
なお溝状風路１０５は、例えば仕切部７６と平行に配置されていても良い。また、溝状風路１０５は、隔壁７８およびアジテーター２５と平行に配置されていても良い。これにより、ボディ７の左方及び右方から、より多くの空気が第１吸引チャネル７５ａに吸引される。本例であれば、広範囲に渡って存在する塵埃をムラなく吸い込むことができる吸込具１が得られる。
【０１０７】
実施の形態５．
次に実施の形態５について説明する。図２２は、実施の形態５の吸込具１を示す断面図である。本実施の形態の吸込具１の基本的な構成は、実施の形態１及び実施の形態２と同様である。図２２は、本実施の形態における、図９に示すＥ−Ｅ線での断面図である。図２２を参照し、実施の形態１及び実施の形態２との相違点を説明する。実施の形態１及び実施の形態２と同一または相当する部分については、同じ符号を付し、説明を簡略化または省略する。
【０１０８】
本実施の形態において、仕切部７６は、上下に移動可能に形成される。本実施の形態であれば、例えば仕切部７６の下に異物が詰まった場合、仕切部７６が動くことで、当該異物がジョイントチャネル８３に向かって吸引される。本実施の形態であれば、吸込具１の内部でのごみ詰まりが防止される。また使用者は、吸込具１内に詰まったゴミを、直接触れることなく除去できる。
【０１０９】
仕切部７６は使用者の手によって直接的に動かされてもよい。また仕切部７６は、ジョイント８と連動してもよい。すなわち仕切部７６は、ジョイント８が回動すると上下に移動してもよい。仕切部７６がジョイント８と連動する場合、使用者は仕切部７６を簡単に動かすことができる。
【０１１０】
仕切部７６は、例えば、ばね等の部材を介してジョイント８と連動する。仕切部７６は、例えば第１角度αが大きくなると上方に移動するように形成される。仕切部７６は、例えば第１角度αが１３５°以下の状態では、ボディチャネル７５に向かって最大限突出した状態になるように形成される。また仕切部７６は、例えば第１角度αが１８０°になると、ボディチャネル７５に対しての突出量がゼロになるように形成される。
【０１１１】
上記の構成に依れば以下のような効果がある。使用者は、ハンドル６を手に持った状態で床等の被清掃面を清掃する。このとき、第１角度αは４５°程度に保たれる。一方で、例えば、ソファーまたは棚の下等の低所の掃除を行う際、使用者はハンドル６を床面近くまで下げる。これにより、第１角度αは大きくなる。このような、使用者の日常的な動作によって、定期的に仕切部７６が上方へ移動する。使用者は、特別な操作をすることなく、吸込具１の内部でのごみ詰まりを防止できる。
【０１１２】
実施の形態６．
次に実施の形態６について説明する。図２３は、実施の形態６の吸込具１を示す断面図である。本実施の形態の吸込具１の基本的な構成は、実施の形態１、実施の形態２及び実施の形態５と同様である。図２３は、本実施の形態における、図９に示すＥ−Ｅ線での断面図である。図２３を参照し、実施の形態１、実施の形態２及び実施の形態５との相違点を説明する。実施の形態１、実施の形態２及び実施の形態５と同一または相当する部分については、同じ符号を付し、説明を簡略化または省略する。
【０１１３】
図２３に示すように、仕切部７６は、例えばボディ７の下部から上方に向けて突出してもよい。本実施の形態の仕切部７６にも、実施の形態１の図１５及び図１８に示される遠位部１０１、近位部１０２及び中間部１０３が含まれる。本実施の形態においての近位部１０２は、遠位部１０１及び中間部１０３よりも上方に突出する。すなわち近位部１０２の上端は、遠位部１０１の上端及び中間部１０３の上端よりも上方にある。また中間部１０３は、遠位部１０１よりも上方に突出する。すなわち中間部１０３の上端は、遠位部１０１の上端よりも上方にある。遠位部１０１の上端は、近位部１０２の上端及び中間部１０３の上端よりも下方にある。上記の構成により、本実施の形態においても実施の形態１、実施の形態２及び実施の形態５と同様の効果が得られる。
【０１１４】
実施の形態７．
次に実施の形態７について説明する。図２４は、実施の形態７の吸込具１を示す断面図である。本実施の形態の吸込具１の基本的な構成は、前述した各実施の形態と同様である。図２４は、本実施の形態における、図１４に示すＦ−Ｆ線での断面図である。図２４を参照し、前述した各実施の形態との相違点を説明する。前述した各実施の形態と同一または相当する部分については、同じ符号を付し、説明を簡略化または省略する。
【０１１５】
上述の通り、第１吸引チャネル７５ａの輪郭の一部は、仕切部７６と隔壁７８とによって形成される。本実施の形態において第１吸引チャネル７５ａは、第３風路の一例である。また本実施の形態のボディ７は、図２４に示すように、第１吸引チャネル７５ａの輪郭の上部を形成するチャネル形成部１０６を有する。
【０１１６】
図２４において、第１吸引チャネル７５ａの輪郭の上部は、太線および点線で示す。チャネル形成部１０６は、図２４に示すように、通気口８４に向かって傾斜する。すなわち、第１吸引チャネル７５ａの輪郭の上部は、通気口８４に向かって傾斜する。本構成によれば、通気口８４に向けて塵埃及び空気がより効率よく搬送される。
【０１１７】
また、ボディ７の長手方向に垂直な断面が通気口８４に近づくにつれて大きくなるように第１吸引チャネル７５ａが形成されれば、同様の効果が得られる。例えば、第１吸引チャネル７５ａの輪郭の下部または側部が傾斜していてもよい。
【０１１８】
実施の形態８．
次に実施の形態８について説明する。図２５は、実施の形態８の吸込具１を示す断面図である。本実施の形態の吸込具１の基本的な構成は、前述した各実施の形態と同様である。図２５は、本実施の形態における、図１３に示すＧ−Ｇ線での断面図である。図２５を参照し、前述した各実施の形態との相違点を説明する。前述した各実施の形態と同一または相当する部分については、同じ符号を付し、説明を簡略化または省略する。
【０１１９】
図２５に示すように、本実施の形態において仕切部７６と隔壁７８との間の前後方向距離は、通気口に近づくほど長くなっている。すなわち隔壁７８は、ボディ７の長手方向端部から通気口８４に向かって、後方に傾斜する面を有している。本構成によれば、上記の実施の形態７と同様の効果が得られる。
【０１２０】
上記の各実施の形態においては、車輪１２を有する掃除機本体４を備えた電気掃除機２００を例示した。吸込具１は、縦型の掃除機、充電式の掃除機、ロボット掃除機等に備えられてもよい。換言すると、電気掃除機２００は、キャニスタータイプに限らず、コードレスタイプの電気掃除機等であってもよい。このような場合にも同様の効果を奏する。
【産業上の利用可能性】
【０１２１】
本発明に係る吸込具及び電気掃除機は、被清掃面等の清掃を行うために利用される。
【符号の説明】
【０１２２】
１  吸込具、  ２  接続パイプ、  ３  吸引ホース、  ４  掃除機本体、  ５  伸縮パイプ、  ６  ハンドル、  ７  ボディ、  ７ａ  一端、  ７ｂ  他端、  ８  ジョイント、  ９  吸引パイプ、  １０  ホース接続口、  １１  電源コード、  １２  車輪、  １３  スイッチ、  １４  収容ユニット、  １５  集塵ユニット、  １６  収容体、  １７  収容体、  １７ａ  収容部、  １８  第１接続口、  １９  第２接続口、  ２０  吸気風路形成部、  ２１  吸気風路、  ２２  排気風路形成部、  ２３  排気風路、  ２４  電動送風機、  ２５  アジテーター、  ２６  モーター、  ２７  被駆動輪、  ２８  シャフト、  ２９  駆動シャフト、  ３０  駆動ベルト、  ３１  アジテータースイッチ、  ３２  ホイール、  ７１  上ボディ、  ７２  下ボディ、  ７３  底面、  ７４  吸込口、  ７５  ボディチャネル、  ７５ａ  第１吸引チャネル、  ７５ｂ  第２吸引チャネル、  ７５ｃ  アジテーターチャンバ、  ７６  仕切部、  ７７  アジテーターチャンバ形成部、  ７８  隔壁、  ７９  スロープ部、  ８１  第１回動部、  ８２  第２回動部、  ８３  ジョイントチャネル、  ８４  通気口、  ９１  パイプチャネル、  ９２  長手軸、  １０１  遠位部、  １０２  近位部、  １０３  中間部、  １０４  溝状風路、  １０５  溝状風路、  １０６  チャネル形成部、  ２００  電気掃除機
【図１】
0006658909.tif 000002
【図２】
0006658909.tif 000003
【図３】
0006658909.tif 000004
【図４】
0006658909.tif 000005
【図５】
0006658909.tif 000006
【図６】
0006658909.tif 000007
【図７】
0006658909.tif 000008
【図８】
0006658909.tif 000009
【図９】
0006658909.tif 000010
【図１０】
0006658909.tif 000011
【図１１】
0006658909.tif 000012
【図１２】
0006658909.tif 000013
【図１３】
0006658909.tif 000014
【図１４】
0006658909.tif 000015
【図１５】
0006658909.tif 000016
【図１６】
0006658909.tif 000017
【図１７】
0006658909.tif 000018
【図１８】
0006658909.tif 000019
【図１９】
0006658909.tif 000020
【図２０】
0006658909.tif 000021
【図２１】
0006658909.tif 000022
【図２２】
0006658909.tif 000023
【図２３】
0006658909.tif 000024
【図２４】
0006658909.tif 000025
【図２５】
0006658909.tif 000026